(57)【要約】【課題】食品をすくい取っている状態のスプーンをいちいちひっくり返さなくても、ペースト状の食品をスプーンから自然に落下させて食器や鍋等に食品を簡単に移すことができるスプーンを提供する。【解決手段】柄２の先端に形成されたヘラ部３と、ヘラ部３を周囲から取り囲む外枠４とから成り、この外枠４は、ヘラ３部に対して外枠４を下方へ裏返して反転させる反転機構１１を備えている。反転機構１１は、柄２に対して前後方向にスライド可能に取り付けられた操作部１２と、ヘラ部３を周囲から取り囲むように配置された外枠４の両端部のそれぞれに先端部が固定され、基端部が前記操作部１２に固定され、柄２に対して回転可能に保持された左右一対のスライドアーム１３と、スライドアーム１３に設けた突起部１４を係合させる螺旋状のガイド溝１５を内壁に備え、操作部１２のスライドによりガイド溝１５に沿ってスライドアーム１３の突起部１４が案内されてスライドアーム１３が回転し、外枠４を反転させるガイド部１６を備えて成る。【選択図】図１
0003105508.tif 000002
【実用新案登録請求の範囲】
【請求項１】
柄の先端に形成されたヘラ部と、ヘラ部を周囲から取り囲む外枠とから成り、この外枠は、ヘラ部に対して外枠を下方へ裏返して反転させる反転機構を備えたことを特徴とするスプーン。
【請求項２】
反転機構により外枠を反転させたとき、柄の先端に形成されたヘラ部と外枠の間に隙間が生じる請求項１に記載のスプーン。
【請求項３】
反転機構は、柄に対して前後方向にスライド可能に取り付けられた操作部と、ヘラ部を周囲から取り囲むように配置された外枠の両端部のそれぞれに先端部が固定され、基端部が前記操作部に固定され、柄に対して回転可能に保持された左右一対のスライドアームと、スライドアームに設けた突起部を係合させる螺旋状のガイド溝を内壁に備え、操作部のスライドによりガイド溝に沿ってスライドアームの突起部が案内されてスライドアームが回転し、外枠を反転させるガイド部を備えて成る請求項１または２に記載のスプーン。
【請求項４】
柄には、スライドアームを０°から１８０°までの回転範囲内において、操作部の前後方向へのスライド移動を係止させるストッパー部を備えている請求項１乃至３のいずれかに記載のスプーン。
【考案の詳細な説明】
【技術分野】
【０００１】
本考案は、柄の先端に形成されたヘラ部と、ヘラ部を周囲から取り囲むように配置された外枠を備えているスプーンに関するものである。
【背景技術】
【０００２】
従来において、鍋等で調理されたペースト状の食品を食器や他の鍋等に移す場合には、例えば、大きいサイズのスプーン等を使用し、このスプーンで食品をすくい取って食器等に食品を移していた。
【特許文献１】特に無し
【考案の開示】
【考案が解決しようとする課題】
【０００３】
しかしながら、従来の大きいサイズのスプーンを使用した手法では、鍋等からすくい取られたペースト状の食品を食器や他の鍋等に移す際に、手に持っているスプーンをいちいちひっくり返さなければならず、このひっくり返し作業が非常に面倒なものとなっていた。
【０００４】
また、スプーンをひっくり返すときの動作により手の位置がぶれてしまい、食品が食器や鍋等の外側にこぼれてしまうこともあった。
【０００５】
そこで、本考案は如上のような従来存した諸事情に鑑み創案されたもので、食品をすくい取っている状態のスプーンをいちいちひっくり返さなくても、ペースト状の食品をスプーンから自然に落下させて食器や鍋等に食品を簡単に移すことができるスプーンを提供することを目的とする。
【課題を解決するための手段】
【０００６】
本考案に係るスプーンは、柄の先端に形成されたヘラ部と、ヘラ部を周囲から取り囲む外枠とから成り、この外枠は、ヘラ部に対して外枠を下方へ裏返して反転させる反転機構を備えたことで、上述した課題を解決した。
【０００７】
また、反転機構により外枠を反転させたとき、柄の先端に形成されたヘラ部と外枠の間に隙間が生じることで、同じく上述した課題を解決した。
【０００８】
さらに、反転機構は、柄に対して前後方向にスライド可能に取り付けられた操作部と、ヘラ部を周囲から取り囲むように配置された外枠の両端部のそれぞれに先端部が固定され、基端部が前記操作部に固定され、柄に対して回転可能に保持された左右一対のスライドアームと、スライドアームに設けた突起部を係合させる螺旋状のガイド溝を内壁に備え、操作部のスライドによりガイド溝に沿ってスライドアームの突起部が案内されてスライドアームが回転し、外枠を反転させるガイド部を備えて成ることで、同じく上述した課題を解決した。
【０００９】
また、柄には、スライドアームを０°から１８０°までの回転範囲内において、操作部の前後方向へのスライド移動を係止させるストッパー部を備えていることで、同じく上述した課題を解決した。
【考案の効果】
【００１０】
本考案は、以上のように構成されているため、スプーンによりペースト状の食品をすくい取っている状態において、操作部をスライドさせるという簡単な操作により、ヘラ部を取り囲んでいる外枠を下方へ裏返して反転させることができ、すくい取っている食品等を簡単に落とし込んで食器や鍋等に移すことができる。
【００１１】
また、外枠を反転させたとき、柄の先端に形成されたヘラ部と外枠の間に隙間が生じるため、この隙間から食品が自然に下方へ落下するのである。
【００１２】
さらに、手に持っているスプーンをいちいちひっくり返さないので、食品の移し換え作業が非常に楽なものとなる。また、スプーンをひっくり返さないため、スプーンを持っている手の位置がぶれるような事態の発生を阻止して、食品を誤って食器等の外側にこぼしてしまうこともない。
【００１３】
この他、本考案に係るスプーンを使用すれば、煮えたぎったような状態の食品であっても、やけどを負うこともなく、誰もが安全且つ確実に食品の移し換え作業を行なうことができる。
【考案を実施するための最良の形態】
【００１４】
以下に、本考案を実施するための最良の形態を、図面を参照して説明する。本考案に係るスプーン１は、鍋等において調理されたペースト状の食品を、食器や他の鍋等に移す際に使用されるものである。このスプーン１は、図１・図２に示すように、所定の長さの柄２と、柄２の先端に形成された略楕円形状のヘラ部３と、ヘラ部３を周囲から取り囲む外枠４とから構成されている。
【００１５】
外枠４は、図１に示すように、ヘラ部３を取り囲むように立設状に配置されている。また、外枠４は、平面的に展開した状態では、図１に示すように、略Ｖ字状に湾曲して形成されている。さらに、外枠４は、図３・図４に示すように、ヘラ部３に対して外枠４を下方へ裏返して反転させることで、外枠４の一部をヘラ部３の下方側に位置させる反転機構１１を備えている。
【００１６】
反転機構１１は、図１・図２に示すように、柄２の上側において、前後方向へスライド可能に取り付けられた操作部１２と、ヘラ部３を周囲から取り囲むように形成された外枠４の両端部のそれぞれに先端部が固定され、基端部が前記操作部１２に固定され、柄２に対して回転可能に保持された左右一対のスライドアーム１３と、スライドアーム１３を回転させて、外枠４を反転させるガイド部１６とを備えている。
【００１７】
操作部１２は、例えば、柄２の内部に形成された所定の長さの孔部に固定部材が貫挿され、柄２にスライド可能に取り付けられている。
【００１８】
ガイド部１６は、ヘラ部３と操作部１２の間に位置するように柄２に固定されており、スライドアーム１３を回転可能・スライド可能に保持している。このガイド部１６は、円筒状に形成され、ガイド部１６の内壁には、スライドアーム１３の途中に設けた突起部１４を係合させるための螺旋状のガイド溝１５を設けている。また、柄２には、スライドアーム１３を０°から１８０°までの回転範囲内において、操作部１２の前後方向へのスライド移動を係止させるために、突起状に形成された一対のストッパー部１７Ａ，１７Ｂを設けている。
【００１９】
すなわち、親指等で操作部１２を前後方向にスライドさせると、スライドアーム１３の突起部１４がガイド部１６のガイド溝１５に沿って案内され、左右一対のスライドアーム１３が互いに反対方向に回転して外枠４を反転させる。
【００２０】
具体的には、例えば、操作部１２をストッパー部１７Ａ，１７Ｂにおける後方の係止位置から前方の係止位置へスライドさせることにより、左右一対のスライドアーム１３が互いに外側に回転し、外枠４を下方へ裏返して反転させる。このとき、図４に示すように、外枠４がヘラ部３の前方側に移動して、外枠４とヘラ部３の間に隙間が生じる。
【００２１】
一方、操作部１２をストッパー部１７Ａ，１７Ｂにおける前方の係止位置から後方の係止位置へスライドさせることにより、左右一対のスライドアーム１３が互いに内側に回転し、外枠４を上方へ反転させる。このとき、図２に示すように、外枠４がヘラ部３側に移動して、外枠４とヘラ部３が互いに隙間無く接合する。
【００２２】
次に、以上のように構成された本考案の最良の形態について、使用・動作の一例を説明する。
【００２３】
まず、図２・図５（ａ）に示すように、親指等でスプーン１の操作部１２を、柄２の後方側のストッパー部１７Ｂの位置までスライドさせた状態で、ペースト状の食品をヘラ部３と外枠４によりすくい取る。
【００２４】
そして、スプーン１を食器や鍋等の上方に持って行き、図５（ｂ）・（ｃ）に示すように、親指等でスプーン１の操作部１２を柄２の前方側のストッパー部１７Ａの位置までスライドさせる。このとき、スライドアーム１３の突起部１４がガイド部１６のガイド溝１５に沿って案内されることにより、図３に示すように、左右のスライドアーム１３が互いに外側に回転して外枠４を下方へ裏返して反転させる。そして、図４に示すように、外枠４がヘラ部３の前方側に移動して、外枠４とヘラ部３の間に隙間が生じる。この外枠４とヘラ部３の間に生じた隙間から、すくい取っている食品を下方へ落下させるのである。
【００２５】
その後、スプーン１を用いて再びペースト状の食品をすくい取る場合には、操作部１２を後方側のストッパー部１７Ｂの位置へスライドさせることにより、左右のスライドアーム１３が互いに内側に回転して外枠４を上方へ反転させ、図１に示すように、ヘラ部３の周囲に外枠４を立設状に配置する。このとき、外枠４はヘラ部３側に移動して、図２に示すように、外枠４とヘラ部３は互いに隙間の無い状態で接合する。
【産業上の利用可能性】
【００２６】
本考案に係るスプーンは、例えば、台所用品として使用されるオタマや柄杓等としても広く使用することができる。
【図面の簡単な説明】
【００２７】
【図１】食品をすくい取る状態のスプーンの形態を示した斜視図である。
【図２】食品をすくい取る状態のスプーンの形態を示した平面図である。
【図３】ヘラ部に対して外枠を反転させ、すくい取っている食品を落下させる状態のスプーンの形態を示した斜視図である。
【図４】ヘラ部に対して外枠を反転させ、すくい取っている食品を落下させる状態のスプーンの形態を示した平面図である。
【図５】操作部によりスライドアームを０°から１８０°まで回転させる状態を示し、（ａ）は回転前の側面図、（ｂ）は９０°回転させたときの側面図、（ｃ）は１８０°回転させたときの側面図である。
【符号の説明】
【００２８】
１…スプーン                ２…柄
３…ヘラ部                  ４…外枠
１１…反転機構              １２…操作部
１３…スライドアーム        １４…突起部
１５…ガイド溝              １６…ガイド部
１７Ａ…ストッパー部        １７Ｂ…ストッパー部
【図１】
0003105508.tif 000003
【図２】
0003105508.tif 000004
【図３】
0003105508.tif 000005
【図４】
0003105508.tif 000006
【図５】
0003105508.tif 000007
【手続補正書】
【提出日】平成16年7月30日(2004.7.30)
【手続補正１】
【補正対象書類名】実用新案登録請求の範囲
【補正対象項目名】全文
【補正方法】変更
【補正の内容】
【実用新案登録請求の範囲】
【請求項１】
柄の先端に形成されたヘラ部と、ヘラ部を周囲から取り囲む外枠とから成り、この外枠は、ヘラ部に対して外枠を下方へ裏返して反転させる反転機構を備え、この反転機構は、柄に対して前後方向にスライド可能に取り付けられた操作部と、ヘラ部を周囲から取り囲むように配置された外枠の両端部のそれぞれに先端部が固定され、基端部が前記操作部に固定され、柄に対して回転可能に保持された左右一対のスライドアームと、スライドアームに設けた突起部を係合させる螺旋状のガイド溝を内壁に備え、操作部のスライドによりガイド溝に沿ってスライドアームの突起部が案内されてスライドアームが回転し、外枠を反転させるガイド部を備えていることを特徴とするスプーン。
【請求項２】
反転機構により外枠を反転させたとき、柄の先端に形成されたヘラ部と外枠の間に隙間が生じる請求項１に記載のスプーン。
【請求項３】
柄には、スライドアームを０°から１８０°までの回転範囲内において、操作部の前後方向へのスライド移動を係止させるストッパー部を備えている請求項１または２に記載のスプーン。
【手続補正２】
【補正対象書類名】明細書
【補正対象項目名】０００６
【補正方法】変更
【補正の内容】
【０００６】
本考案に係るスプーンは、柄の先端に形成されたヘラ部と、ヘラ部を周囲から取り囲む外枠とから成り、この外枠は、ヘラ部に対して外枠を下方へ裏返して反転させる反転機構を備え、この反転機構は、柄に対して前後方向にスライド可能に取り付けられた操作部と、ヘラ部を周囲から取り囲むように配置された外枠の両端部のそれぞれに先端部が固定され、基端部が前記操作部に固定され、柄に対して回転可能に保持された左右一対のスライドアームと、スライドアームに設けた突起部を係合させる螺旋状のガイド溝を内壁に備え、操作部のスライドによりガイド溝に沿ってスライドアームの突起部が案内されてスライドアームが回転し、外枠を反転させるガイド部を備えていることで、上述した課題を解決した。
【手続補正３】
【補正対象書類名】明細書
【補正対象項目名】０００７
【補正方法】変更
【補正の内容】
【０００７】
また、反転機構により外枠を反転させたとき、柄の先端に形成されたヘラ部と外枠の間に隙間が生じることで、同じく上述した課題を解決した。
【手続補正４】
【補正対象書類名】明細書
【補正対象項目名】０００８
【補正方法】変更
【補正の内容】
【０００８】
さらに、柄には、スライドアームを０°から１８０°までの回転範囲内において、操作部の前後方向へのスライド移動を係止させるストッパー部を備えていることで、同じく上述した課題を解決した。
【手続補正５】
【補正対象書類名】明細書
【補正対象項目名】０００９
【補正方法】削除
【補正の内容】